(57)【要約】      （修正有）【課題】ウエスト開口からの排泄物の漏れに対する不安感を低減し、装着者に安心感を与え易い使い捨ておむつを提供する。【解決手段】使い捨ておむつ１０は互いに直交する前後方向Ｌ及び幅方向Ｗと前胴回り域Ｓ１及び後胴回り域Ｓ２からなる２つの胴回り域と及び２つの胴回り域の間に配置された股下域Ｓ３と吸収コア３１と２つの胴回り域の少なくとも一方の胴回り域に配置されているウエストバンド８０とを有し、股下域側に向かって開口する収容空間が形成され、収容空間の少なくとも肌対向面側にはウエストバンドが配置され、ウエストバンドには使い捨ておむつの肌対向面側から視認可能なデザインが設けられている。【選択図】図２
2020089682.tif 000002
【特許請求の範囲】
【請求項１】
互いに直交する前後方向及び幅方向と、
前胴回り域及び後胴回り域からなる２つの胴回り域と、及び前記２つの胴回り域の間に配置された股下域と、
吸収コアと、
前記２つの胴回り域の少なくとも一方の胴回り域に配置されているウエストバンドと、を有し、
股下域側に向かって開口する空間が形成され、
前記空間の少なくとも肌対向面側には前記ウエストバンドが配置されている使い捨ておむつであって、
前記ウエストバンドには、前記使い捨ておむつの肌対向面側から視認可能なデザインが設けられている、使い捨ておむつ。
【請求項２】
前記吸収コアの外側縁よりも前記幅方向の外側に延びるサイドフラップを有し、
前記ウエストバンドが配置された前記胴回り域において、前記サイドフラップが前記吸収コアと重なるように、前記使い捨ておむつの前記前後方向の端縁から前記股下域側に向かって延びる折り目を基点として、前記使い捨ておむつが折られている状態において、前記ウエストバンドが配置された前記胴回り域の肌対向面側から前記デザインが視認可能である請求項１に記載の使い捨ておむつ。
【請求項３】
前記使い捨ておむつが折られている状態において、前記厚さ方向において前記サイドフラップと前記ウエストバンドとが重なる領域である重複領域と、前記厚さ方向において前記サイドフラップと前記ウエストバンドとが重ならない領域である非重複領域と、を有し、
前記使い捨ておむつが折られている状態において、前記デザインが前記非重複領域に設けられている請求項２に記載の使い捨ておむつ。
【請求項４】
前記使い捨ておむつが折られている状態において、前記厚さ方向において前記サイドフラップと前記ウエストバンドとが重なる領域である重複領域を有し、
前記使い捨ておむつが折られている状態において、前記サイドフラップは、前記重複領域において前記ウエストバンドよりも前記肌対向面側の部分である重複部分を有し、
前記重複部分は、光透過性を有し、
前記使い捨ておむつが折られている状態において、前記デザインが前記重複領域に設けられている請求項２又は３に記載の使い捨ておむつ。
【請求項５】
前記ウエストバンドは、前記幅方向に伸縮するバンド伸縮領域を有し、
前記デザインは、前記バンド伸縮領域に設けられている請求項１から４のいずれか１項に記載の使い捨ておむつ。
【請求項６】
前記吸収コアを含み、かつ前記ウエストバンドよりも非肌対向面側に配置されている部材により構成される本体部を有し、
前記ウエストバンドは、前記本体部に接合された接合部と、前記本体部に接合されていない非接合部と、を有し、
前記非接合部は、着用者の肌に当接する肌当接面を有する肌当接部を有し、
前記デザインは、前記肌当接部に設けられている請求項１から５のいずれか１項に記載の使い捨ておむつ。
【請求項７】
前記肌当接部は、前記空間の肌対向面側に配置されている請求項６に記載の使い捨ておむつ。
【請求項８】
前記ウエストバンドは、前記幅方向に延びる折り目を基点として折り返されており、
前記非接合部は、前記本体部に対して起立する起立部をさらに有し、
前記起立部は、前記ウエストバンドの折り返されていない部分であり、
前記肌当接部は、前記ウエストバンドの折り返されている部分であり、かつ前記起立部よりも肌対向面側に配置されている請求項６又は７に記載の使い捨ておむつ。
【請求項９】
前記起立部は、液不透過性のフィルム層を有し、
前記起立部は、前記空間の非肌対向面側又は前記空間の肌対向面側に配置されている請求項８に記載の使い捨ておむつ。
【請求項１０】
前記吸収コアを含み、かつ前記ウエストバンドよりも非肌対向面側に配置されている部材により構成される本体部を有し、
前記ウエストバンドは、前記本体部に接合された接合部と、前記本体部に接合されていない非接合部と、を有し、
前記デザインは、前記接合部に設けられている請求項１から９のいずれか１項に記載の使い捨ておむつ。
【請求項１１】
前記接合部は、液不透過性のフィルム層を有する請求項１０に記載の使い捨ておむつ。
【請求項１２】
前記吸収コアを含み、かつ前記ウエストバンドよりも非肌対向面側に配置されている部材により構成される本体部を有し、
前記ウエストバンドは、前記本体部に接合された接合部と、前記本体部に接合されていない非接合部と、を有し、
前記デザインは、前記非接合部に設けられる第１デザインと、前記接合部に設けられる第２デザインと、を有し、
前記デザインの種類が、前記第１デザインと第２デザインとで異なる請求項１から１１のいずれか１項に記載の使い捨ておむつ。
【請求項１３】
前記吸収コアを含み、かつ前記ウエストバンドよりも非肌対向面側に配置されている部材により構成される本体部を有し、
前記本体部は、前記吸収コアよりも肌対向面側に位置する肌面側シートを有し、
前記肌面側シートは、表面シートと、前記表面シートの両外側部を覆う一対のサイドシートと、を有し、
前記一対のサイドシートのそれぞれは、前記前後方向に延びる防漏弾性部材の収縮によって起立する収縮部を有する防漏ギャザーを構成し、
前記ウエストバンドは、前記デザインが設けられるデザイン領域を有し、
前記幅方向において、前記デザイン領域は、少なくとも前記一対のサイドシートの間を跨がっている請求項１から１２のいずれか１項に記載の使い捨ておむつ。
【請求項１４】
前記ウエストバンドは、
前記幅方向に伸縮する弾性部材と、
前記弾性部材よりも肌対向面側に配置されており、かつ前記デザインが設けられているフィルム層と、を有する請求項１から１３のいずれか１項に記載の使い捨ておむつ。
【発明の詳細な説明】
【技術分野】
【０００１】
本発明は、使い捨ておむつに関する。
【背景技術】
【０００２】
従来、胴回り域に配置されているウエストバンドを有する使い捨ておむつが知られている（例えば、特許文献１参照）。ウエストバンドによって股下域側に向かって開口する空間が形成されている。空間の少なくとも非肌対向面側には、ウエストバンドが配置されており、当該空間は、ウエスト開口側に移動する排泄物を収容するポケットとして機能する。これにより、ウエスト開口から排泄物が漏れることを抑制できる。
【先行技術文献】
【特許文献】
【０００３】
【特許文献１】米国特許公開公報２０１８／７１１５５号
【発明の概要】
【発明が解決しようとする課題】
【０００４】
ウエストバンドを有さない一般的な使い捨ておむつの方が、ウエストバンドを有する使い捨ておむつに比べて、広く知られている。このため、装着者は、一般的な使い捨ておむつと同じように、ウエストバンドを認識することなく着用者に使い捨ておむつを装着させることがあった。このため、装着者は、着用者に装着させた使い捨ておむつがウエストバンドを有するにもかかわらず、一般的な使い捨ておむつと同じように、ウエスト開口からの漏れに対する不安感を抱えたまま、使い捨ておむつを使用する虞がある。
【０００５】
また、使い捨ておむつを着用者に装着する際に、装着者が、ウエストバンドを認識していないため、ウエストバンドが不適切に折れ曲がった状態で使い捨ておむつが装着される虞がある。この場合、ポケットとして機能する空間が十分に形成できず、ウエスト開口から排泄物が漏れ出す可能性があった。
【０００６】
そこで、ウエストバンドを有する使い捨ておむつであって、ウエスト開口からの排泄物の漏れに対する不安感を低減し、装着者に安心感を与え易い使い捨ておむつが望まれる。
【課題を解決するための手段】
【０００７】
一態様に係る使い捨ておむつは、互いに直交する前後方向及び幅方向と、前胴回り域及び後胴回り域からなる２つの胴回り域と、及び前記２つの胴回り域の間に配置された股下域と、吸収コアと、前記２つの胴回り域の少なくとも一方の胴回り域に配置されているウエストバンドと、を有する。股下域側に向かって開口する空間が形成される。前記空間の少なくとも肌対向面側には前記ウエストバンドが配置されている。前記ウエストバンドには、前記使い捨ておむつの肌対向面側から視認可能なデザインが設けられている。
【図面の簡単な説明】
【０００８】
【図１】図１は、実施形態に係る使い捨ておむつを肌対向面側から見た模式平面図（その１）である。
【図２】図２は、実施形態に係る使い捨ておむつを肌対向面側から見た模式平面図（その２）である。
【図３】図３は、図１に示すＡ−Ａ線に沿った模式断面図である。
【図４】図４は、伸長状態における図１に示すＢ−Ｂ線に沿った模式断面図である。
【図５】図５は、自然状態における図１に示すＢ−Ｂ線に沿った模式断面図である。
【図６】図６は、図５を基準とした断面における着用状態を模式的に示した図である。
【図７】図７は、実施形態に係る変更例（その１）を説明するための模式図である。
【図８】図８は、実施形態に係る各変更例（その２からその４）を説明するための模式図である。
【図９】図９は、実施形態に係る変更例（その５）を説明するための模式図である。
【図１０】図１０は、実施形態に係る各変更例（その６からその８）を説明するための模式図である。
【０００９】
（１）実施形態の概要
本明細書及び添付図面の記載により、少なくとも以下の事項が明らかとなる。
【００１０】
一態様に係る使い捨ておむつは、使い捨ておむつは、互いに直交する前後方向及び幅方向と、前胴回り域及び後胴回り域からなる２つの胴回り域と、及び前記２つの胴回り域の間に配置された股下域と、吸収コアと、前記２つの胴回り域の少なくとも一方の胴回り域に配置されているウエストバンドと、を有する。股下域側に向かって開口する空間が形成される。前記空間の少なくとも肌対向面側には前記ウエストバンドが配置されている。前記ウエストバンドには、前記使い捨ておむつの肌対向面側から視認可能なデザインが設けられている。
【００１１】
本態様によれば、ウエストバンドには、肌対向面側から視認可能なデザインが設けられているため、装着者が使い捨ておむつを着用者に装着する際に、デザインに目が留まり、当該デザインが設けられたウエストバンドを認識し易くなる。装着者が、ウエストバンドを認識することで、ウエスト開口からの排泄物の漏れに対する不安感を低減でき、装着者に安心感を与えることができる。また、装着者がウエストバンドを認識している場合には、ウエストバンドが不適切に折れ曲がった状態であることに気付き易くなる。装着者は、ウエストバンドが不適切に折れ曲がった状態である場合には、ウエストバンドが適切な状態となるように直すことで、股下域側に向かって開口する空間が、ウエスト開口側に移動する排泄物を収容するポケットとして適切に機能する。これにより、ウエスト開口から排泄物が漏れ出することを抑制できるため、装着者に漏れ不安に対する安心感を与えることができる。
【００１２】
好ましい一態様によれば、使い捨ておむつは、前記吸収コアの外側縁よりも前記幅方向の外側に延びるサイドフラップを有してよい。前記ウエストバンドが配置された前記胴回り域において、前記サイドフラップが前記吸収コアと重なるように、前記使い捨ておむつの前記前後方向の端縁から前記股下域側に向かって延びる折り目を基点として、前記使い捨ておむつが折られている状態において、前記ウエストバンドが配置された前記胴回り域の肌対向面側から前記デザインが視認可能であってよい。使用前の使い捨ておむつは、サイドフラップが肌対向面側からウエストバンドに重なるように、使い捨ておむつが折られている状態である。装着者は、サイドフラップがウエストバンドに重ならないようにサイドフラップを展開してから、使い捨ておむつを着用者に装着させる。装着者は、サイドフラップが折られている状態でデザインを視認可能である。従って、サイドフラップを展開する前からデザインに目が留まり易くなるため、当該デザインが設けられたウエストバンドを装着者が認識し易くなり、装着者に漏れ不安に対する安心感を与えることができる。
【００１３】
好ましい一態様によれば、使い捨ておむつは、前記使い捨ておむつが折られている状態において、前記ウエストバンドは、前記厚さ方向において前記サイドフラップと前記ウエストバンドとが重なる領域である重複領域と、前記厚さ方向において前記サイドフラップと前記ウエストバンドとが重ならない領域である非重複領域と、を有してよい。前記使い捨ておむつが折られている状態において、前記デザインが前記非重複領域に設けられてよい。装着者は、サイドフラップが肌対向面側からウエストバンドに重なるように、使い捨ておむつが折られている状態でデザインを直接的に視認することができ、サイドフラップを展開する前からデザインに目が留まり易くなる。従って、当該デザインが設けられたウエストバンドを装着者が認識し易くなり、装着者に漏れ不安に対する安心感を与えることができる。
【００１４】
好ましい一態様によれば、前記使い捨ておむつが折られている状態において、前記厚さ方向において前記サイドフラップと前記ウエストバンドとが重なる領域である重複領域を有してよい。前記使い捨ておむつが折られている状態において、前記サイドフラップは、前記重複領域において前記ウエストバンドよりも前記肌対向面側の部分である重複部分を有してよい。前記重複部分は、光透過性を有してよい。前記使い捨ておむつが折られている状態において、前記デザインが前記重複領域に設けられてよい。装着者は、サイドフラップが肌対向面側からウエストバンドに重なるように使い捨ておむつが折られている状態で光透過性を有する重複部分からデザインを視認することができ、サイドフラップを展開する前からデザインに目が留まり易くなる。従って、当該デザインが設けられたウエストバンドを装着者が認識し易くなり、装着者に漏れ不安に対する安心感を与えることができる。
【００１５】
好ましい一態様によれば、前記ウエストバンドは、前記幅方向に伸縮するバンド伸縮領域を有してよい。前記デザインは、前記バンド伸縮領域に設けられてよい。装着者は、使い捨ておむつを着用者に装着する際に、使い捨ておむつの両側を幅方向に引っ張って伸長させることによって、バンド伸縮領域が幅方向に伸長し、バンド伸縮領域に設けられたデザインも伸長する。これにより、装着者が、ウエストバンドの身体へのフィット性を感じることができるため、ウエスト開口からの排泄物の漏れに対する不安感を低減でき、装着者に漏れ不安に対する安心感を与えることができる。
【００１６】
好ましい一態様によれば、使い捨ておむつは、前記吸収コアを含み、かつ前記ウエストバンドよりも非肌対向面側に配置されている部材により構成される本体部を有してよい。前記ウエストバンドは、前記本体部に接合された接合部と、前記本体部に接合されていない非接合部と、を有してよい。前記非接合部は、着用者の肌に当接する肌当接面を有する肌当接部を有してよい。前記デザインは、前記肌当接部に設けられてよい。ウエストバンドの中でも、着用者の肌に当接する肌当接面を有する肌当接部は、最も肌対向面側に位置するため、装着者は、肌当接部を視認し易い。視認し易い肌当接部にデザインが設けられているため、デザインをより認識し易くなる。従って、当該デザインが設けられたウエストバンドを装着者がより認識し易くなり、装着者に漏れ不安に対する安心感を与えることができる。
【００１７】
好ましい一態様によれば、前記肌当接部は、前記空間の肌対向面側に配置されてよい。排泄物は、ポケットとして機能する空間に収容されるため、ウエスト開口から排泄物が漏れることを抑制できるものの、乳幼児の排泄物（軟便）は水分が多いため、排泄物が、当該空間の肌対向面側に配置されている部分から滲み出ることがある。排泄物の滲み出しにより、装着者が漏れに対する不安を感じ易い。ここで、デザインは、ポケットとして機能する空間の肌対向面側に配置されているため、当該空間に収容された排泄物が肌対向面側に滲み出したとしても、排泄物がデザインと重なり、目立ち難くなる。従って、装着者は、使用後の排泄物の滲み出しに気付き難くなり、装着者に漏れ不安に対する安心感をさらに与え易くなる。
【００１８】
好ましい一態様によれば、前記ウエストバンドは、前記幅方向に延びる折り目を基点として折り返されてよい。前記非接合部は、前記本体部に対して起立する起立部をさらに有してよい。前記起立部は、前記ウエストバンドの折り返されていない部分であってよい。前記肌当接部は、前記ウエストバンドの折り返されている部分であり、かつ前記起立部よりも肌対向面側に配置されてよい。起立部が起立することによって、デザインが設けられている肌当接部が装着者に近づき、デザインをより認識し易くなる。加えて、装着者がウエストバンドを立体的に視認することができる。従って、ウエストバンドを装着者がより認識し易くなり、装着者に漏れ不安に対する安心感をさらに与える易くなる。
【００１９】
好ましい一態様によれば、前記起立部は、液不透過性のフィルム層を有してよい。前記起立部は、前記空間の非肌対向面側又は前記空間の肌対向面側に配置されてよい。液不透過性のフィルム層を有する起立部が空間の非肌対向面側又は肌対向面側に配置されているため、ポケットとして機能する空間に収容された排泄物が、フィルム層が配置されている側から滲み出すことを抑制することができる。使用後の排泄物の滲み出しを抑制することで、装着者に漏れ不安に対する安心感をさらに与え易くなる。
【００２０】
好ましい一態様によれば、使い捨ておむつは、前記吸収コアを含み、かつ前記ウエストバンドよりも非肌対向面側に配置されている部材により構成される本体部を有してよい。前記ウエストバンドは、前記本体部に接合された接合部と、前記本体部に接合されていない非接合部と、を有してよい。前記デザインは、前記接合部に設けられてよい。排泄物は、ポケットとして機能する空間に収容されるため、ウエスト開口から排泄物が漏れることを抑制できるものの、乳幼児の排泄物（軟便）は水分が多いため、排泄物が接合部から滲み出ることがある。デザインは、接合部に設けられているため、排泄物が滲み出したとしても、排泄物がデザインと重なることによって、目立ち難くなる。従って、装着者は、使用後の排泄物の滲み出しに気付き難くなり、装着者に漏れ不安に対する安心感をさらに与え易くなる。
【００２１】
好ましい一態様によれば、前記接合部は、液不透過性のフィルム層を有してよい。デザインによって排泄物を目立ち難くするだけでなく、排泄物が接合部から滲み出すことを抑制することができる。使用後の排泄物の滲み出しを抑制することで、装着者に漏れ不安に対する安心感をさらに与え易くなる。
【００２２】
好ましい一態様によれば、使い捨ておむつは、前記吸収コアを含み、かつ前記ウエストバンドよりも非肌対向面側に配置されている部材により構成される本体部を有してよい。前記ウエストバンドは、前記本体部に接合された接合部と、前記本体部に接合されていない非接合部と、を有してよい。前記デザインは、前記非接合部に設けられる第１デザインと、前記接合部に設けられる第２デザインと、を有してよい。前記デザインの種類が、前記第１デザインと第２デザインとで異なってよい。デザインの種類が異なるため、装着者は、デザインに目が留まり易くなる。従って、当該デザインが設けられたウエストバンドを装着者が認識し易くなり、装着者に漏れ不安に対する安心感を与えることができる。加えて、排泄物が滲み出したとしても、排泄物がデザインと重なることによって、目立ち難くなる。従って、装着者は、使用後の排泄物の滲み出しに気付き難くなり、装着者に漏れ不安に対する安心感をさらに与え易くなる。さらに、装着者は、デザインの違いによって、接合部と非接合部とを容易に識別し易くなる。非接合部の部分が排泄物を収容するポケットとして機能するため、装着者が、排泄物の収容空間をより視覚的に把握し易くなり、装着者に漏れ不安に対する安心感をさらに与え易くなる。
【００２３】
好ましい一態様によれば、使い捨ておむつは、前記吸収コアを含み、かつ前記ウエストバンドよりも非肌対向面側に配置されている部材により構成される本体部を有してよい。前記本体部は、前記吸収コアよりも肌対向面側に位置する肌面側シートを有してよい。前記肌面側シートは、表面シートと、前記表面シートの両外側部を覆う一対のサイドシートと、を有してよい。前記一対のサイドシートのそれぞれは、前記前後方向に延びる防漏弾性部材の収縮によって起立する収縮部を有する防漏ギャザーを構成してよい。前記ウエストバンドは、前記デザインが設けられるデザイン領域を有してよい。前記幅方向において、前記デザイン領域は、少なくとも前記一対のサイドシートの間を跨がってよい。排泄物は、ポケットとして機能する空間に収容されるため、ウエスト開口から排泄物が漏れることを抑制できるものの、乳幼児の排泄物（軟便）は水分が多いため、排泄物が当該空間から滲み出ることがある。防漏ギャザーは、収縮部の起立によって、排泄物が幅方向へ漏れ出ることを抑制するものであるため、防漏ギャザーの幅方向の内側において排泄物がウエスト開口側へ移動し易く、特に、防漏ギャザーに接触し難い中央付近（すなわち、一対のサイドシートの間）において排泄物がウエスト開口側へ最も移動し易い。デザイン領域は、排泄物がウエスト開口側へ最も移動し易い領域に跨がっているため、当該空間に収容された排泄物が滲み出したとしても、滲み出した排泄物がデザインと重なり易くなり、目立ち難くなる。従って、装着者は、使用後の排泄物の滲み出しに気付き難くなり、装着者に漏れ不安に対する安心感を与え易くなる。
【００２４】
好ましい一態様によれば、前記ウエストバンドは、前記幅方向に伸縮する弾性部材と、前記弾性部材よりも肌対向面側に配置されており、かつ前記デザインが設けられているフィルム層と、を有してよい。デザインが設けられているフィルム層は、弾性部材よりも肌対向面側に配置されているため、装着者は、弾性部材に阻害されることなく、デザインを視認することができる。従って、当該デザインが設けられたウエストバンドを装着者が認識し易くなり、装着者に漏れ不安に対する安心感を与えることができる。
【００２５】
（２）使い捨ておむつの全体概略構成
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２６】
使い捨ておむつは、テープ型の使い捨ておむつである。図１は、実施形態に係る使い捨ておむつ１０の肌対向面側から見た模式平面図（その１）である。図２は、実施形態に係る使い捨ておむつ１０の肌対向面側から見た模式平面図（その２）である。なお、図１では、見易くするために、図２のウエストバンド８０のデザインが省略されている。図３は、図１に示す使い捨ておむつのＡ−Ａ断面に沿った模式断面図である。図３に示す模式断面図では、説明の便宜上、各部材を厚さ方向Ｔにおいて離間して示しているが、実際の製品においては厚さ方向Ｔに接している。図１から図３は、伸長状態の使い捨ておむつを示している。なお、本発明における伸長状態とは、使い捨ておむつ１０を皺が形成されない状態まで伸長させた状態である。また、本発明における自然状態とは、パッケージに収容されている使い捨ておむつ１０にあっては、パッケージから使い捨ておむつ１０を取り出し、２０℃±２℃、相対湿度６０％±５％ＲＨの雰囲気下において２４時間放置した状態である。図４は、伸長状態における図１に示すＢ−Ｂ線に沿った模式断面図である。図５は、自然状態における図１に示すＢ−Ｂ線に沿った模式断面図である。図６は、図５に示す断面を基準とした着用状態を示す図である。図６に示すＢＬは、着用者の身体のラインを示している。
【００２７】
使い捨ておむつ１０は、互いに直交する前後方向Ｌ及び幅方向Ｗを有する。前後方向Ｌは、身体前側と身体後側とに延びる方向によって規定される。言い換えると、前後方向Ｌは、展開された使い捨ておむつ１０において前後に延びる方向である。また、使い捨ておむつ１０は、前後方向Ｌと幅方向Ｗの両方の直交する厚さ方向Ｔを有する。厚さ方向Ｔは、着用者側に向かう肌対向面側Ｔ１と、肌対向面側と反対側の非肌対向面側Ｔ２と、に延びる。
【００２８】
使い捨ておむつ１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域であり、装着時に身体（臀部）が載せられる領域を含む。股下域Ｓ３は、着用者の股下に位置し、前胴回り域Ｓ１と後胴回り域Ｓ２との間に配置された領域である。従って、股下域Ｓ３は、前胴回り域Ｓ１及び後胴回り域Ｓ２からなる２つの胴回り域の間に配置されている。股下域Ｓ３は、着用者の脚回りに配置される脚回り開口部６５が設けられた領域である。脚回り開口部６５は、使い捨ておむつ１０の外側縁から幅方向の内側に凹む部分である。
【００２９】
使い捨ておむつ１０は、本体部１１と後述するウエストバンド８０とからなる。本体部１１は、ウエストバンド８０よりも非肌対向面側Ｔ２に配置されている部材により構成される。従って、本体部１１は、使い捨ておむつ１０を構成する部材のうち、ウエストバンド８０を除いた部材により構成されている。本体部１１は、後述する吸収コア３１を含んでいる。
【００３０】
本体部１１は、前胴回り域Ｓ１において前後方向Ｌの外側（前側）に位置する外端縁である前端縁１１Ｆと、後胴回り域Ｓ２において前後方向Ｌの外側（後側）に位置する外端縁である後端縁１１Ｒと、を有する。
【００３１】
使い捨ておむつ１０は、吸収材料を含む吸収コア３１を含む。吸収コア３１は、粉砕パルプもしくは高吸収性ポリマー（ＳＡＰ）、又はこれらの混合物等の吸収材料を含む。吸収コア３１は、図示しないコアラップによって覆われてよい。吸収コア３１とコアラップによって吸収体が構成されてよい。コアラップは、テッシュ又はＳＭＳ不織布によって構成され、吸収コア３１の肌対向面側Ｔ１と吸収コア３１の非肌対向面側Ｔ２に配置されてよい。
【００３２】
図３に示すように、使い捨ておむつ１０は、吸収コア３１よりも肌対向面側Ｔ１に位置する肌面側シート２０を有する。肌面側シート２０は、吸収コア３１を覆い、かつ使い捨ておむつ１０の全体に亘って配置されている。本実施形態の肌面側シート２０は、表面シート２１と一対のサイドシート２２を含む。なお、コアラップを有する使い捨ておむつにあっては、肌面側シート２０は、コアラップよりも肌対向面側Ｔ１に位置するシートである。表面シート２１は、吸収コア３１の幅方向Ｗの中心を跨いで配置されてよい。一対のサイドシート２２は、表面シート２１の両外側部を覆うように配置されてよい。表面シート２１及びサイドシート２２は、例えば不織布や開孔プラスチックフィルムのような透液性シートによって構成されていてよい。
【００３３】
サイドシート２２の内側部は、折り返されて重なってよい。重なったサイドシート２２間には、前後方向Ｌに延びる防漏弾性部材６１が設けられてよい。防漏弾性部材６１は、前後方向Ｌに伸縮する。防漏弾性部材６１は、前後方向Ｌに伸縮する糸ゴムによって構成されてよい。サイドシート２２は、防漏弾性部材６１の収縮によって肌対向面側Ｔ１に起立する。一対のサイドシート２２は、防漏ギャザー６０を構成する。防漏ギャザー６０は、防漏弾性部材６１の収縮によって起立する収縮部６３を有する。防漏ギャザー６０は、収縮部６３の起立支点となる防漏基端縁６４を有する。防漏基端縁６４は、第１防漏基端縁６４１と第２防漏基端縁６４２とを有する。
【００３４】
第１防漏基端縁６４１は、収縮部６３よりも幅方向Ｗの外側において収縮部６３の起立支点となる。第１防漏基端縁６４１は、収縮部６３よりも幅方向の外側においてサイドシート２２と表面シート２１が接合された領域の内側縁である。第２防漏基端縁６４２は、収縮部６３よりも前後方向Ｌの両外側において収縮部６３の起立支点となる。第２防漏基端縁６４２は、収縮部６３よりも前後方向Ｌの両外側においてサイドシート２２と表面シート２１が接合された領域の内端縁である。
【００３５】
収縮部６３は、サイドシート２２が表面シート２１に接合されてなく、防漏弾性部材６１によって収縮可能な部分であり、非伸長状態の防漏弾性部材６１が配置された部分を含まない。収縮部６３の前後方向の範囲を図１に示す。
【００３６】
ここで、本発明における外側部とは、幅方向Ｗにおける外側の縁を含む幅方向Ｗに一定の範囲を占める部分であり、外側縁とは、幅方向Ｗにおける外側の縁である。また、内側部とは、幅方向Ｗにおける内側の縁を含む幅方向Ｗに一定の範囲を占める部分であり、内側縁とは、幅方向Ｗにおける内側の縁である。
【００３７】
使い捨ておむつ１０は、吸収コア３１よりも非肌対向面側Ｔ２に位置する非肌面側シート２５を有する。非肌面側シート２５は、吸収コア３１を覆い、かつ使い捨ておむつ１０の全体に亘って配置されている。本実施形態の非肌面側シート２５は、裏面シート２３と外装シート２４を含む。なお、コアラップを有する使い捨ておむつにあっては、非肌面側シート２５は、コアラップよりも非肌対向面側Ｔ２に位置するシートである。裏面シート２３は、液不透過性のシートであり、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。外装シート２４は、裏面シート２３の非肌対向面側Ｔ２に設けられてよい。外装シート２４は、液透過性の不織布によって構成されてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短くてよい。
【００３８】
後胴回り域Ｓ２には、ファスニングテープ９０が設けられている。ファスニングテープ９０は、ベース部９２と係止部９３を有する。ベース部９２の少なくとも一部は、肌面側シート２０と非肌面側シート２５の間に接合され、かつ肌面側シート２０と非肌面側シート２５から幅方向Ｗの外側に延出する。係止部９３は、ベース部９２上に設けられ、ターゲット部９５（図１参照）に着脱可能に止着される。ファスニングテープ９０は、後胴回り域Ｓ２において幅方向Ｗに沿って延び、ターゲット部９５に止着されることにより、使い捨ておむつ１０を着用者の身体に保持する。ターゲット部９５は、前胴回り域Ｓ１に配置されており、ファスニングテープ９０がそれぞれ止着するように構成されている。
【００３９】
使い捨ておむつ１０は、２つの胴回り域（前胴回り域Ｓ１及び後胴回り域Ｓ２）の少なくとも一方の胴回り域に配置されているウエストバンド８０を有する。本実施の形態では、ウエストバンド８０は、後胴回り域Ｓ２に配置されている。ウエストバンド８０は、本体部１１の肌対向面側Ｔ１に配置されている。ウエストバンド８０は、肌面側シート２０の肌対向面側Ｔ１に配置されている。ウエストバンド８０は、着用時に肌面側シート２０から浮き上がる。これにより、ウエストバンド８０が少なくとも肌対向面側Ｔ１に配置されている空間（図５及び図６の収容空間ＡＳ）が形成される。本実施形態では、収容空間ＡＳの肌対向面側Ｔ１にウエストバンド８０が配置されており、収容空間ＡＳの非肌対向面側Ｔ２に本体部１１（肌面側シート２０）が配置されている。収容空間ＡＳは、股下域Ｓ３側に向かって開口する。収容空間ＡＳは、ウエスト開口６６側に移動する排泄物を収容するポケットとして機能する。これにより、ウエスト開口６６から排泄物が漏れることを抑制できる。ウエストバンド８０の構成については、後述にて詳細に説明する。ウエスト開口６６は、使い捨ておむつ１０の後端縁１０Ｒと前端縁１０Ｆによって構成され、ファスニングテープ９０がターゲット部９５に止着した状態で腰回りを囲む部分である。
【００４０】
図２に示すように、ウエストバンド８０には、使い捨ておむつ１０の肌対向面側Ｔ１から視認可能なデザインが設けられている。従って、ウエストバンド８０は、デザインが設けられるデザイン領域ＤＲを有している。
【００４１】
デザインは、使い捨ておむつ１０の肌対向面側Ｔ１から、伸長状態において視認可能であってよいし、自然状態において視認可能であってよい。
【００４２】
ウエストバンド８０には、使い捨ておむつ１０の肌対向面側Ｔ１から視認可能なデザインが設けられているため、装着者が使い捨ておむつ１０を着用者に装着する際に、デザインに目が留まり、当該デザインが設けられたウエストバンド８０を認識し易くなる。装着者が、ウエストバンド８０を認識することで、ウエスト開口６６からの排泄物の漏れに対する不安感を低減でき、装着者に漏れ不安に対する安心感を与えることができる。また、装着者がウエストバンド８０を認識している場合には、ウエストバンド８０が不適切に折れ曲がった状態であることに気付き易くなる。装着者は、ウエストバンド８０が不適切に折れ曲がった状態である場合には、ウエストバンド８０が適切な状態となるように直すことで、股下域Ｓ３側に向かって開口する収容空間ＡＳが、ウエスト開口６６側に移動する排泄物を収容するポケットとして適切に機能する。これにより、ウエスト開口６６から排泄物が漏れ出することを抑制できるため、装着者に漏れ不安に対する安心感を与えることができる。
【００４３】
なお、本発明における「視認可能」とは、昼白色（色温度目安 ４６００〜５４００ Ｋ（ケルビン））で明るく照明された室内(目安：５００〜７５０ ｌｘ（ルクス））で約３０〜５０ｃｍの距離で、良好な視力（１．０以上）を両眼に有する被験者が対象物を見たときに視認できる事を意味している。
【００４４】
デザインは、模様（図形及び色の組み合わせ）によって構成される。例えば、デザインは、図２に示すように、前後方向Ｌに延びる縦縞により構成されてよい。これにより、ウエストバンド８０が幅方向Ｗに伸縮可能に構成されている場合、ウエストバンド８０が幅方向Ｗに伸長することによって、縦縞も伸長し、縦縞の幅方向の長さが変化する。これにより、装着者が、ウエストバンドの身体へのフィット性を感じることができるため、ウエスト開口からの排泄物の漏れに対する不安感を低減でき、装着者に漏れ不安に対する安心感を与えることができる。
【００４５】
デザインは、幅方向Ｗに延びる横縞、丸形、星型、ハート型などの少なくともいずれかにより構成されてよい。
【００４６】
デザインには、本体部１１を構成する部材が有する色よりも濃い色が用いられてもよく、本体部１１を構成する部材（肌面側シート２０、非肌面側シート２５等）が有する色の数よりも多い数の色が用いられてもよい。これにより、ウエストバンド８０が目立ち易くなり、デザインに装着者の目が留まり、当該デザインが設けられたウエストバンドを認識し易くなる。また、デザインの色が濃い色及び／又はデザインの色が複数の色であることにより、収容空間ＡＳに収容された排泄物が目立ち難くなる。装着者に漏れ不安に対する安心感を与え易くなる。また、収容空間ＡＳに収容された排泄物が滲み出したとしても、滲み出した排泄物が、デザインと重なったり、デザインに隣接したりすることにより、目立ち難くなる。従って、装着者は、使用後の排泄物の滲み出しに気付き難くなり、装着者に漏れ不安に対する安心感をさらに与え易くなる。
【００４７】
デザインは、ウエストバンド８０を構成する部材（不織布、又はフィルムなど）に印刷されることによって設けられてよい。また、デザインは、ウエストバンド８０を構成する有色の部材（不織布、フィルムなど）によって設けられてよい。有色の部分がデザインを構成してよい。また、デザインは、例えば、ハート型、星型等のデザイン性を有するヒートシールをウエストバンド８０へ接合することによって設けられてよい。デザインは、ウエストバンド８０を賦形加工することによって設けられてよい。賦形加工によって、例えば、波線、ドット線により模様や図形がウエストバンド８０に描かれてよい。
【００４８】
また、図２に示すように、幅方向Ｗにおいて、デザイン領域ＤＲは、少なくとも一対のサイドシート２２の間を跨がってよい。排泄物は、ポケットとして機能する収容空間ＡＳに収容されるため、ウエスト開口６６から排泄物が漏れることを抑制できるものの、乳幼児の排泄物（軟便）は水分が多いため、排泄物が収容空間ＡＳから滲み出ることがある。排泄物の滲み出しにより、装着者が漏れに対する不安を感じ易い。防漏ギャザー６０は、収縮部６３の起立によって、排泄物が幅方向Ｗへ漏れ出ることを抑制するものであるため、防漏ギャザー６０の幅方向Ｗの内側において排泄物がウエスト開口６６側へ移動し易く、特に、防漏ギャザー６０に接触し難い中央付近（すなわち、一対のサイドシート２２の間）において排泄物がウエスト開口６６側へ最も移動し易い。デザイン領域ＤＲは、排泄物がウエスト開口６６側へ最も移動し易い領域に跨がっているため、収容空間ＡＳに収容された排泄物が滲み出したとしても、滲み出した排泄物がデザインと重なり易くなり、目立ち難くなる。従って、装着者は、使用後の排泄物の滲み出しに気付き難くなり、装着者に漏れ不安に対する安心感を与え易くなる。
【００４９】
サイドシート２２と裏面シート２３の間、又はサイドシート２２と外装シート２４との間には、前後方向Ｌに延びる脚回り弾性部材４２が設けられてよい。脚回り弾性部材４２は、前後方向Ｌに伸縮する帯状の伸縮シートによって構成されてよい。脚回り弾性部材４２の収縮によって、着用時に使い捨ておむつ１０が脚回りにフィットする。脚回り弾性部材４２は、吸収コア３１よりも幅方向Ｗの外側において、少なくとも股下域Ｓ３において脚回り開口部６５に沿って配置されている。脚回り弾性部材４２は、外装シート２４とサイドシート２２の間、及び裏面シート２３とサイドシート２２の間に配置されている。
【００５０】
サイドシート２２と裏面シート２３との間、及びサイドシート２２と外装シート２４の間には、幅方向Ｗに延びる腰回り弾性部材４５が設けられてよい。腰回り弾性部材４５は、幅方向Ｗに伸縮する略矩形の伸縮シートによって構成されてよい。腰回り弾性部材４５は、肌面側シート２０と非肌面側シート２５の間に接合されている。より詳細には、図３に示すように、腰回り弾性部材４５は、幅方向Ｗに伸長した状態で、吸収コア３１と非肌面側シート２５の間、又は肌面側シート２０と非肌面側シート２５の間に接合されている。腰回り弾性部材４５の収縮によって、着用時に使い捨ておむつ１０が腰回りにフィットする。腰回り弾性部材４５は、少なくとも後胴回り域Ｓ２に配置されている。本実施形態において、腰回り弾性部材４５は、厚さ方向Ｔおいて吸収コア３１と重なっている。従って、腰回り弾性部材４５の前端縁４５Ｆは、吸収コア３１の後端縁よりも前側に位置しており、腰回り弾性部材４５の後端縁４５Ｒは、吸収コア３１の前端縁よりも後側に位置している。
【００５１】
使い捨ておむつ１０は、吸収コア３１の外側縁３１Ｅよりも幅方向Ｗの外側に延びるサイドフラップ１６を有する。サイドフラップ１６は、ファスニングテープ９０を含む。
【００５２】
（３）ウエストバンドの構成
次いで、ウエストバンド８０の構成について詳細に説明する。図４から図６に示すように、ウエストバンド８０は、複数のシートが積層されたシート層８１と、シート層８１に接合されたバンド弾性部材８２と、を有してよい。本実施形態のウエストバンド８０のシート層８１は、第１不織布層８１１と、第２不織布層８１２と、第１不織布層８１１と第２不織布層８１２の間に配置されたフィルム層８１３と、を含んでよい。第１不織布層８１１と第２不織布層８１２は、同一の不織布が折り返されることによって、同一の不織布により構成されている。第１不織布層８１１は、ウエストバンド８０において最も肌面側シート２０側に位置している。
【００５３】
バンド弾性部材８２は、幅方向Ｗに伸縮する。バンド弾性部材８２は、糸状又は帯状の弾性部材によって構成され、幅方向Ｗに伸長した状態で、シート層８１に固定されている。バンド弾性部材８２は、第１不織布層８１１と液不透過性のフィルム層８１３との間に固定されている。バンド弾性部材８２は、前後方向Ｌに間隔を空けて複数配置されている。バンド弾性部材８２は、後述する肌当接部８５１と起立部８５２とにおいて、それぞれ複数配置されてよい。
【００５４】
ウエストバンド８０は、幅方向Ｗに伸縮可能に構成されている。ウエストバンド８０は、バンド弾性部材８２によって幅方向に伸縮するように構成されていてもよいし、シート層８１が伸縮性を有することによって幅方向に伸縮するように構成されていてもよい。
【００５５】
ウエストバンド８０は、幅方向Ｗに伸縮するバンド伸縮領域ＢＳＲを有する（図４参照）。バンド伸縮領域ＢＳＲは、ウエストバンド８０のうち幅方向Ｗに伸縮する領域である。図４に示すように、デザイン（デザイン領域ＤＲ）は、バンド伸縮領域ＢＳＲに設けられている。装着者が、使い捨ておむつ１０を着用者に装着する際に、使い捨ておむつ１０の両側を幅方向Ｗに引っ張って伸長させることによって、バンド伸縮領域ＢＳＲが幅方向Ｗに伸長し、バンド伸縮領域ＢＳＲに設けられたデザインも伸長する。これにより、装着者が、ウエストバンド８０の身体へのフィット性を感じることができるため、ウエスト開口６６からの排泄物の漏れに対する不安感を低減でき、装着者に漏れ不安に対する安心感を与えることができる。
【００５６】
ウエストバンド８０は、後胴回り域Ｓ２においてウエスト開口６６の近傍に配置されてよい。ウエストバンド８０の外側縁８０Ｅは、吸収コア３１の外側縁３１Ｅよりも幅方向Ｗの外側に位置してよく、ファスニングテープ９０の内側縁よりも幅方向Ｗの内側に位置してもよい。ウエストバンド８０の前端縁８０Ｆは、ファスニングテープ９０の前端縁９０Ｆよりも後側に位置してよい。
【００５７】
図４から図６に示すように、ウエストバンド８０は、本体部１１（より具体的には、肌面側シート２０）に接合されている。ウエストバンド８０の接合方法として、例えば、ホットメルト型接着剤（ＨＭＡ）等の接合部材、ソニックシール、ヒートシールなどが用いられる。本実施形態では、ウエストバンド８０は、接合部材８３によって接合されている。  接合部材８３は、第１接合部材８３１と、第２接合部材８３２と、を有する。第１接合部材８３１は、ウエストバンド８０の前後方向Ｌの端部に配置されており、幅方向Ｗに延びている（図４参照）。第２接合部材８３２は、ウエストバンド８０の幅方向Ｗの端部に配置されており、前後方向Ｌに延びている（図３参照）。
【００５８】
ウエストバンド８０は、本体部１１に接合された接合部８４と、本体部１１に接合されていない非接合部８５と、を有する。
【００５９】
接合部８４は、接合部材８３に当接している部分であり、本体部１１と直接的に固定されている。接合部８４は、第１接合部８４１と、第２接合部８４２と、を有する。第１接合部８４１は、ウエストバンド８０の前後方向Ｌの端部に配置されており、幅方向Ｗに延びている。本実施形態では、第１接合部８４１は、非接合部８５（詳細には、起立部８５２）よりも後側に配置されている。第１接合部８４１は、第１接合部材８３１に当接している部分である。第２接合部８４２は、ウエストバンド８０の幅方向Ｗ両端部に位置し、本体部１１に接合されている一対のサイド接合部である。第２接合部８４２は、前後方向Ｌに延びている。第２接合部８４２は、非接合部８５よりも幅方向Ｗの外側に配置されている（図３参照）。第２接合部８４２は、第２接合部材８３２に当接している部分である。
【００６０】
非接合部８５は、接合部材８３に接していない部分であり、本体部１１との距離を変更可能である。非接合部８５は、着用者の肌に当接する肌当接面８５１Ｓを有する肌当接部８５１を有している。図４に示すように、肌当接部８５１は、デザインが設けられる領域であるデザイン領域ＤＲを有してよい。従って、デザインは、肌当接部８５１に設けられてよい。ウエストバンド８０の中でも、着用者の肌に当接する肌当接面８５１Ｓを有する肌当接部８５１は、最も肌対向面側Ｔ１に位置するため、装着者は、肌当接部８５１を視認し易い。視認し易い肌当接部８５１にデザインが設けられているため、デザインをより認識し易くなる。従って、当該デザインが設けられたウエストバンド８０を装着者がより認識し易くなり、装着者に漏れ不安に対する安心感を与えることができる。
【００６１】
図５及び図６に示すように、本実施形態では、ウエストバンド８０の非接合部８５と肌面側シート２０とによって挟まれた収容空間ＡＳによって、前側に向かって開口するポケットが形成されている。肌当接部８５１は、収容空間ＡＳの肌対向面側Ｔ１に配置されている。排泄物は、ポケットとして機能する収容空間ＡＳに収容されるため、ウエスト開口６６から排泄物が漏れることを抑制できるものの、乳幼児の排泄物（軟便）は水分が多いため、排泄物が、収容空間ＡＳの肌対向面側Ｔ１に配置されている部分（具体的には、肌当接部８５１）から滲み出ることがある。本実施形態では、デザインが、ポケットとして機能する収容空間ＡＳの肌対向面側に配置されているため、当該空間に収容された排泄物が肌対向面側Ｔ１に滲み出したとしても、排泄物がデザインと重なり、目立ち難くなる。従って、装着者は、使用後の排泄物の滲み出しに気付き難くなり、装着者に漏れ不安に対する安心感をさらに与え易くなる。
【００６２】
非接合部８５は、本体部１１（より具体的には、肌面側シート２０）に対して起立する起立部８５２を有してよい。本実施形態において、非接合部８５は、バンド折り目ＦＬＢを基点として前後方向Ｌの外側に折り返されている。肌当接部８５１は、幅方向Ｗに沿ったバンド折り目ＦＬＢによってウエストバンド８０が折り返されている部分（折り返し部）により構成されている。肌当接部（折り返し部）８５１は、バンド折り目ＦＬＢから前後方向Ｌの外側（後側）に向かって延びており、起立部８５２よりも肌対向面側Ｔ１に位置している。
【００６３】
起立部８５２は、バンド折り目ＦＬＢによってウエストバンド８０が折り返されていない部分により構成されている。起立部８５２は、接合部８４からバンド折り目ＦＬＢまで延びており、かつ起立可能に構成されている。本明細書において、起立部８５２は、非接合部８５のうち着用者の肌に当接しない部分である。なお、図４から図６に示すように、着用者の動き及び／又は起立部８５２の起立具合によって、着用者の肌と当接する領域が変化する。従って、肌当接部８５１の前後方向Ｌの長さと起立部８５２の前後方向Ｌの長さは、変化してもよい。
【００６４】
本実施形態では、肌当接部８５１は、起立部８５２よりも肌対向面側Ｔ１に配置されている。起立部８５２が起立することによって、デザインが設けられている肌当接部８５１が装着者に近づき、デザインをより認識し易くなる。加えて、装着者がウエストバンド８０を立体的に視認することができる。従って、ウエストバンド８０を装着者がより認識し易くなり、装着者に漏れ不安に対する安心感をさらに与える易くなる。
【００６５】
ここで、肌当接部（折り返し部）８５１の前後方向Ｌの一方の端縁（前端縁８５１Ｆ）から他方の端縁（後端縁８５１Ｒ）までの長さをＡとする。起立部８５２の前後方向Ｌの一方の端縁（前端縁８５２Ｆ）から他方の端縁（後端縁８５２Ｒ）までの長さをＢとする。この場合、ＡとＢとのそれぞれは、着用者の動き及び／又は起立部８５２の起立具合によって、変化してもよい。一方で、ＡとＢとの合計（Ａ＋Ｂ）は、一定である。
【００６６】
接合部８４と起立部８５２との境界から本体部１１の後端縁１１Ｒまでの長さをＣとする。この場合、ＡとＢとの合計の長さは、長さＣよりも長くてよい。すなわち、「Ａ＋Ｂ＞Ｃ」の条件を満たしてよい。装着者は、使い捨ておむつ１０を着用者に装着する際に、起立部８５２が起立することによって、肌当接部（折り返し部）８５１が装着者に近づくため、装着者がウエストバンド８０を立体的に視認でき、ウエストバンド８０を認識し易くなる。また、起立部８５２と肌当接部（折り返し部）８５１との合計長さＡ＋Ｂが、長さＣよりも長いため、起立部８５２が起立することによって、肌当接部（折り返し部）８５１が本体部１１よりも前後方向Ｌの外側（後側）に位置し易くなる。この場合、ウエストバンド８０の一部が厚さ方向Ｔにおいて後胴回り域Ｓ２の本体部１１と重ならないため、ウエストバンド８０の視認性が向上し、装着者が、ウエストバンド８０を認識し易くなる。
【００６７】
なお、「Ａ＋Ｂ＜Ｃ」の条件を満たす場合であっても、例えば、後述するように、ウエストバンド８０が変形したり、本体部１１が変形したりすることにより、ウエストバンド８０の一部が、後端縁１１Ｒの前後方向Ｌの外側で露出することが可能であることに留意すべきである。
【００６８】
起立部８５２の長さＢは、長さＣよりも長くてよい。すなわち、「Ｂ＞Ｃ」の条件を満たしてよい。起立部８５２の長さＢが短い場合と比較して、起立部８５２の起立により肌当接部（折り返し部）８５１が前後方向Ｌの外側（後側）へ移動する距離が長くなり、肌当接部（折り返し部）８５１が本体部１１よりも前後方向Ｌの外側により位置し易くなる。肌当接部（折り返し部）８５１が本体部１１よりも前後方向Ｌの外側に位置した場合には、ウエストバンド８０の一部が厚さ方向Ｔにおいて後胴回り域Ｓ２の本体部１１と重ならないため、ウエストバンド８０の視認性が向上し、装着者が、ウエストバンド８０を認識し易くなる。
【００６９】
起立部８５２は、液不透過性のフィルム層８１３を有する。本実施形態において、起立部８５２は、収容空間ＡＳの肌対向面側Ｔ１に配置されている。液不透過性のフィルム層８１３を有する起立部８５２が収容空間ＡＳの肌対向面側Ｔ１に配置されているため、ポケットとして機能する収容空間ＡＳに収容された排泄物が、フィルム層８１３が配置されている肌対向面側Ｔ１から滲み出すことを抑制することができる。使用後の排泄物の滲み出しを抑制することで、装着者に漏れ不安に対する安心感をさらに与え易くなる。
【００７０】
ウエストバンド８０は、起立部８５２の起立支点となる基端縁を有してよい。基端縁は、起立部８５２よりもウエスト開口６６側に位置する第１基端縁と、吸収コア３１よりも幅方向Ｗの外側に位置する第２基端縁と、を有する。第１基端縁は、接合部８４（第１接合部８４１）の前端縁８４Ｆによって構成されている。接合部８４は、第１基端縁から前後方向Ｌに延びている。第２基端縁は、接合部８４（第２接合部８４２）の側端縁８４Ｅによって構成されている。
【００７１】
なお、図３に示すように、ウエストバンド８０の幅方向Ｗの側端部どうしは、接合部材８３であるサイド接合部材８３３により接合されてよい。非接合部８５は、サイド接合部材８３３の肌対向面側Ｔ１に配置されている一対の肌当接接合部８５３を有してよい。一対の肌当接接合部８５３の非肌対向面側Ｔ２は、サイド接合部材８３３により第２接合部８４２と接合されている。
【００７２】
なお、図１に示すように、使い捨ておむつ１０の伸長状態において、ウエストバンド８０の後端縁８０Ｒは、係止部９３の後端縁９３Ｒよりも後側に配置されてよいし、ファスニングテープ９０の後端縁９０Ｒよりも後側に配置されてよい。これにより、ウエストバンド８０がウエスト開口６６側に配置されるため、ウエストバンド８０の視認性を向上させることができる。また、ウエストバンド８０の後端縁８０Ｒは、吸収コア３１の後端縁よりも後側に配置されてよい。これにより、吸収コア３１が排泄物を吸収しきれない場合に、吸収コア３１の後端縁よりも後側へ移動する排泄物を収容空間ＡＳに収容することができる。
【００７３】
また、使い捨ておむつ１０の伸長状態において、ウエストバンド８０の前端縁８０Ｆは、ファスニングテープ９０の前端縁９０Ｆよりも後側に配置されてよいし、係止部９３の前端縁９３Ｆよりも後側に配置されてよい。これにより、ウエストバンド８０が必要以上に長くなりすぎず、資材コストが増加することを抑制できる。また、ウエストバンド８０の前端縁８０Ｆは、吸収コア３１の後端縁よりも前側に配置されてよい。これにより、収容空間ＡＳの始まりが吸収コアの後端縁よりも前側に位置するため、吸収コア３１の後端縁よりも後側へ移動する排泄物を収容空間ＡＳに収容することができる。
【００７４】
また、使い捨ておむつ１０の伸長状態において、ウエストバンド８０の後端縁８０Ｒは、後胴回り域Ｓ２における本体部１１と厚さ方向Ｔにおいて重なってよい。従って、使い捨ておむつ１０の伸長状態において、ウエストバンド８０の後端縁８０Ｒが本体部１１の後端縁１１Ｒよりも後側に配置されてなくてよい。ウエストバンド８０の後端縁８０Ｒは、本体部１１の後端縁１１Ｒよりも前側（股下域Ｓ３側）に配置されてよいし、ウエストバンド８０の後端縁８０Ｒと本体部１１の後端縁１１Ｒとが厚さ方向Ｔおいて重なってよい。これにより、使い捨ておむつ１０の搬送中に、ウエストバンド８０に直に働く力を抑制でき、使い捨ておむつ１０の使用前においてウエストバンド８０を保護することができる。
【００７５】
また、図３に示すように、使い捨ておむつ１０の伸長状態において、デザイン領域ＤＲは、幅方向Ｗにおいて一対の第１防漏基端縁６４１間に配置されてよい。一対の第１防漏基端縁６４１間において排泄物はウエスト開口６６に向かって移動するため、一対の第１防漏基端縁６４１間のデザインによって、収容空間ＡＳに収容された排泄物を目立ち難くすることができる。
【００７６】
また、図３に示すように、使い捨ておむつ１０の伸長状態において、デザイン領域ＤＲは、第１防漏基端縁６４１よりも幅方向Ｗの外側に配置されてもよい。着用者に装着する際に、着用者が、後述のサイド折りの状態からサイドフラップ１６を展開することで、装着者が、視認可能なデザインが展開前と比べて増えるため、デザインに目が留まり易くなる。従って、デザインが設けられたウエストバンド８０を装着者が認識し易くなり、装着者に漏れ不安に対する安心感を与えることができる。
【００７７】
（４）変更例
次に、変更例に係る使い捨ておむつ１０の構成について、図７から図１０を用いて説明する。図７は、実施形態に係る変更例（その１）を説明するための模式図である。図８は、実施形態に係る各変更例（その２からその４）を説明するための模式図である。図９は、実施形態に係る変更例（その５）を説明するための模式図である。図１０は、実施形態に係る各変更例（その６からその８）を説明するための模式図である。なお、上述の実施形態と同様の説明は、適宜省略する。
【００７８】
図７Ａを用いて、変更例１に係る使い捨ておむつ１０を説明する。なお、図７に示す使い捨ておむつ１０は、二つ折りの自然状態である。二つ折りの自然状態では、ウエストバンド８０が本体部１１に挟まれるように少なくとも第１折り目を基点として使い捨ておむつ１０が折り畳まれている状態である。本実施形態では、二つ折りの自然状態での使い捨ておむつ１０は、第１折り目ＦＬ１及び第２折り目ＦＬ２を基点に折り畳まれている（折られている）状態である。
【００７９】
第１折り目ＦＬ１は、幅方向Ｗに沿って延びる折り目であり、股下域Ｓ３に配置されている折り目である（図１参照）。第１折り目ＦＬ１は、一般的に、使い捨ておむつ１０を前後方向Ｌの中心付近に配置されている。使い捨ておむつ１０は、第１折り目ＦＬ１を基点に折られることにより、前後方向Ｌの長さが約半分にできる。
【００８０】
第２折り目ＦＬ２は、使い捨ておむつ１０の前後方向Ｌの端縁（前端縁１０Ｆ、後端縁１０Ｒ）から股下域側へ向かって延びる折り目である。第２折り目ＦＬ２の少なくとも一部は、吸収コア３１の外側縁３１Ｅよりも幅方向Ｗの外側に位置してよい。第２折り目ＦＬ２は、吸収コア３１の前後方向Ｌの端縁よりも外側の領域では、吸収コア３１の外側縁３１Ｅよりも幅方向Ｗの内側に位置してよい。図７に示すように、第２折り目ＦＬ２は、前後方向Ｌに延びるものの、前後方向Ｌに対して傾斜して延びてよい。また、図７に示すように、第２折り目ＦＬ２は、二つ折りの自然状態における平面視において、吸収コア３１（吸収体）と重ならないように延びている。なお、第２折り目ＦＬ２は、二つ折りの自然状態における平面視において、吸収コア３１（吸収体）と重なってもよい。従って、吸収コア３１（吸収体）が第２折り目ＦＬ２を基点に折られていてもよい。
【００８１】
また、第２折り目ＦＬ２は、サイドフラップ１６（の少なくとも一部）を折り返すための折り目である。ウエストバンド８０が配置されている後胴回り域Ｓ２において、第２折り目ＦＬ２を基点として使い捨ておむつ１０が折られることにより、サイドフラップ１６が肌対向面側Ｔ１からウエストバンド８０に重なっている。
【００８２】
使用前の使い捨ておむつ１０は、かさばらないように、一般的に、第１折り目ＦＬ１及び第２折り目ＦＬ２を基点として折られた状態（第１折り状態）である。使い捨ておむつ１０は、第２折り目ＦＬ２を基点に折られた後に、第１折り目ＦＬ１を基点に折られている。これにより、折り返されたサイドフラップ１６が前胴回り域Ｓ１と後胴回り域Ｓ２との間に挟まれた状態である。
【００８３】
図７Ａでは、第１折り目ＦＬ１は、使い捨ておむつ１０の前後方向Ｌの中心Ｏから前側にずれている（図１参照）。従って、使い捨ておむつが第１折り目ＦＬ１を基点に折られている場合、使い捨ておむつ１０の前端縁１０Ｆが、使い捨ておむつ１０の後端縁１０Ｒと重ならずに、股下域Ｓ３側へずれている。これにより、使い捨ておむつ１０が第１折り目ＦＬ１を基点に折られている二つ折りの自然状態であっても、ウエストバンド８０が前端縁１０Ｆの前後方向Ｌの外側で露出している。ここで、ウエストバンド８０の露出部分にはデザインが設けられている。すなわち、二つ折りの自然状態において、ウエストバンドに設けられているデザインが前端縁１０Ｆの前後方向Ｌの外側に配置されている。従って、装着者は、第１折り目ＦＬ１及び第２折り目ＦＬ２を基点に折られている状態において、デザインを視認可能である。従って、第１折り目ＦＬ１を基点に展開する前から、デザインに目が留まり易くなる。これにより、当該デザインが設けられたウエストバンド８０を装着者が認識し易くなり、装着者に漏れ不安に対する安心感を与えることができる。
【００８４】
なお、図７Ａでは、ウエストバンド８０のうち第２折り目ＦＬ２を基点として折り返されていない部分（後述する第２バンド部８０２）を視認可能である。
【００８５】
変更例２に係る使い捨ておむつ１０を、図７Ｂを用いて説明する。図７Ｂでは、第１折り目ＦＬ１を基点に展開されており、かつ第２折り目ＦＬ２を基点に折られている状態（第２折り状態）である。第２折り状態では、ウエストバンド８０が配置された後胴回り域Ｓ２において、サイドフラップ１６が肌対向面側Ｔ１からウエストバンド８０に重なるように、第２折り目ＦＬ２を基点として、使い捨ておむつ１０が折られている状態（サイド折りの状態）である。
【００８６】
サイド折りの状態において、本体部１１は、中央部１５とサイド折り返し部１６１とを有する。中央部１５は、第２折り目ＦＬ２よりも幅方向Ｗの内側の部分であり、吸収コア３１を含む。中央部１５は、第２折り目ＦＬ２を基点として折り返されていない部分（非折り返し部）である。サイド折り返し部１６１は、第２折り目ＦＬ２を基点として折り返された部分である。
【００８７】
図７Ｂに示すように、第２折り状態において、後胴回り域Ｓ２の肌対向面側Ｔ１からデザインが視認可能である。装着者は、サイドフラップ１６がウエストバンド８０に重ならないようにサイドフラップ１６を展開してから、使い捨ておむつを着用者に装着させる。装着者は、サイドフラップ１６が折られている状態でデザインを視認可能であるため、サイドフラップ１６を展開する前からデザインに目が留まり易くなるため、当該デザインが設けられたウエストバンド８０を装着者が認識し易くなり、装着者に漏れ不安に対する安心感を与えることができる。
【００８８】
ウエストバンド８０は、第２折り目ＦＬ２を基点として折り返されている部分である第１バンド部８０１と第２折り目ＦＬ２を基点として折り返されていない部分である第２バンド部８０２とを有してよい。
【００８９】
第２折り状態（サイド折りの状態）において、使い捨ておむつ１０は、厚さ方向Ｔにおいてサイドフラップ１６とウエストバンド８０とが重なる領域である重複領域Ｒ８１と、厚さ方向Ｔにおいてサイドフラップ１６とウエストバンド８０とが重ならない領域である非重複領域Ｒ８２と、を有してよい。また、重複領域Ｒ８１は、第１重複領域Ｒ８１１と第２重複領域Ｒ８１２とを有してよい。第１重複領域Ｒ８１１は、厚さ方向Ｔおいて第１バンド部８０１と重なる領域である。第２重複領域Ｒ８１２は、厚さ方向Ｔおいて第１バンド部８０１と重ならずかつ第２バンド部８０２と重なる領域である。
【００９０】
図７Ｂで示すように、第２折り状態（サイド折りの状態）において、非重複領域Ｒ８２は、サイドフラップ１６の後端縁よりも後側に位置しており、非重複領域Ｒ８２では、ウエストバンド８０がサイドフラップ１６と重なっていない。デザインが、少なくとも非重複領域Ｒ８２に設けられている。従って、非重複領域Ｒ８２におけるデザインが視認可能である。これにより、装着者は、第２折り状態でデザインを直接的に視認することができ、サイドフラップ１６を展開する前からデザインに目が留まり易くなる。従って、当該デザインが設けられたウエストバンド８０を装着者が認識し易くなり、装着者に漏れ不安に対する安心感を与えることができる。
【００９１】
非重複領域Ｒ８２において視認されるデザインは、第２バンド部８０２に設けられている。装着者が、二つ折りの自然状態（図７Ａ）から使い捨ておむつ１０を展開してサイド折りの状態（図７Ｂ）になった場合に、使い捨ておむつ１０（本体部１１）の前端縁１０Ｆ（１１Ｆ）よりも前後方向Ｌの外側で露出しているデザインに加えて、サイド折り返し部１６１と重ならない第２バンド部８０２におけるデザインを視認することができるため、ウエストバンド８０を視認し易くなる。
【００９２】
なお、図７Ｂの変更例２に係る使い捨ておむつ１０では、重複領域Ｒ８１においてデザインが設けられている。しかしながら、後述するように、変更例２のサイドフラップ１６は、光透過性を有なさいため、重複領域Ｒ８１におけるデザインは、視認不能である。
【００９３】
なお、使い捨ておむつ１０の伸長状態において、デザイン領域ＤＲの後端縁は、係止部９３の後端縁９３Ｒよりも後側に配置されてよいし、ファスニングテープ９０の後端縁９０Ｒよりも後側に配置されてよい。これにより、デザイン領域ＤＲがウエスト開口６６側に配置されるため、ウエストバンド８０の視認性を向上させることができる。
【００９４】
変更例３に係る使い捨ておむつ１０を、図８Ａを用いて説明する。図８Ａでは、図７Ｂの変更例２に係る使い捨ておむつ１０と同様に、第２折り状態である。第２折り状態において、サイドフラップ１６は、重複領域Ｒ８１においてウエストバンド８０よりも肌対向面側Ｔ１の部分である重複部分１６５を有する。本実施形態では、サイド折り返し部１６１のうち少なくとも第１バンド部８０１と厚さ方向Ｔおいて重なる部分は、光透過性を有する。本実施形態では、重複部分１６５は、光透過性を有する。重複部分１６５は、光透過性を有するか否かは、光線透過率によって規定できる。重複部分１６５の光線透過率が３０．９９％以上である場合に、重複部分１６５は、光透過性を有する。
【００９５】
なお、本明細書における「光線透過率」は、ＪＩＳ規格（Ｋ７３６１−１）に従って測定される「全光線透過率」を意味する。かかる全光線透過率は、例えば、日本電色工業株式会社製の測色色差計（型式ＮＤＨ７０００ＳＰ）を用い、所定の条件下（受光素子：ＪＩＳ規格（Ｋ７３６１−１）に準拠するシリコンフォトセル、フィルター：色ガラスフィルタ  Ｙ、測定面積：φ１２ｍｍ）で測定することができる。
【００９６】
変更例３に係る使い捨ておむつ１０では、重複部分１６５が光透過性を有し、ウエストバンド８０が光透過性を有さないケースを示している。図８Ａに示すように、第２折り状態において、重複部分１６５が光透過性を有するため、第２重複領域Ｒ８１２に設けられているデザインが視認可能である。これにより、装着者は、第２折り状態で、光透過性を有する重複部分１６５からデザインを視認することができ、サイドフラップ１６を展開する前からデザインに目が留まり易くなる。従って、当該デザインが設けられたウエストバンド８０を装着者が認識し易くなり、装着者に漏れ不安に対する安心感を与えることができる。
【００９７】
変更例４に係る使い捨ておむつ１０を、図８Ｂを用いて説明する。図８Ｂでは、図８Ａの変更例３に係る使い捨ておむつ１０と同様に、重複部分１６５が光透過性を有する。また、第２折り状態において、第２折り目ＦＬ２を基点として折り返される部分である第１バンド部８０１の肌対向面側Ｔ１にデザインが設けられている。図８Ｂに示すように、第１重複領域Ｒ８１１に設けられているデザインが視認可能である。これにより、装着者は、第２折り状態で、光透過性を有する重複部分１６５からデザインを視認することができ、サイドフラップ１６を展開する前からデザインに目が留まり易くなる。従って、当該デザインが設けられたウエストバンド８０を装着者が認識し易くなり、装着者に漏れ不安に対する安心感を与えることができる。
【００９８】
変更例５に係る使い捨ておむつ１０を、図９を用いて説明する。図９Ａは、図３と同様に、変更例５に係る使い捨ておむつ１０を前後方向Ｌ及び厚さ方向Ｔに沿った模式断面図である。図９Ｂは、図９Ａにおいてウエストバンド８０を肌対向面側Ｔ１から見た模式平面図である。
【００９９】
図９Ａに示すように、肌当接部８５１において、バンド弾性部材８２は、フィルム層８１３よりも非肌対向面側Ｔ２に配置されてよい。これにより、フィルム層８１３は、バンド弾性部材８２よりも肌対向面側Ｔ１に配置されてよい。加えて、フィルム層８１３には、デザイン、すなわち、デザイン領域ＤＲが設けられてよい。これにより、デザインが設けられているフィルム層８１３は、バンド弾性部材８２よりも肌対向面側Ｔ１に配置されているため、装着者は、バンド弾性部材８２に阻害されることなく、デザインを視認することができる。従って、当該デザインが設けられたウエストバンド８０を装着者が認識し易くなり、装着者に漏れ不安に対する安心感を与えることができる。
【０１００】
図９Ａに示すように、デザインは、接合部８４に設けられてよい。ここで、排泄物は、ポケットとして機能する収容空間ＡＳに収容されるため、ウエスト開口６６から排泄物が漏れることを抑制できるものの、乳幼児の排泄物（軟便）は水分が多いため、排泄物が接合部から滲み出ることがある。デザインが、接合部８４に設けられているため、排泄物が滲み出したとしても、排泄物がデザインと重なることによって、目立ち難くなる。従って、装着者は、使用後の排泄物の滲み出しに気付き難くなり、装着者に漏れ不安に対する安心感をさらに与え易くなる。
【０１０１】
接合部８４は、液不透過性のフィルム層８１３を有してよい。デザインによって排泄物を目立ち難くするだけでなく、排泄物が接合部８４から滲み出すことを抑制することができる。使用後の排泄物の滲み出しを抑制することで、装着者に漏れ不安に対する安心感をさらに与え易くなる。
【０１０２】
図９Ａ及び図９Ｂに示すように、デザインは、非接合部８５に設けられる第１デザインと、接合部８４に設けられる第２デザインを有する。第１デザインは、非接合部８５に設けられる第１デザイン領域ＤＲ１に配置されている。第２デザインは、接合部８４に設けられる第２デザイン領域ＤＲ２に配置されている。図９Ｂに示すように、デザインの種類が、第１デザインと第２デザインとで異なってよい。変更例５に係る使い捨ておむつ１０では、第１デザインが縦縞であり、第２デザインが星である。デザインの種類が異なるため、装着者は、デザインに目が留まり易くなる。従って、当該デザインが設けられたウエストバンド８０を装着者が認識し易くなり、装着者に漏れ不安に対する安心感を与えることができる。加えて、排泄物が滲み出したとしても、排泄物がデザインと重なることによって、目立ち難くなる。従って、装着者は、使用後の排泄物の滲み出しに気付き難くなり、装着者に漏れ不安に対する安心感をさらに与え易くなる。
【０１０３】
なお、デザインの種類が異なるとは、第１デザイン領域ＤＲ１と第２デザイン領域ＤＲ２とに同じデザインが描かれていないことを意味する。
【０１０４】
変更例６から８に係る使い捨ておむつ１０を、図１０を用いて説明する。図１０Ａは、変更例６に係る使い捨ておむつ１０を説明するための模式図である。図１０Ａ１は、図３と同様に、変更例６に係る使い捨ておむつ１０を前後方向Ｌ及び厚さ方向Ｔに沿った模式断面図である。図１０Ａ２は、図１０Ａ１においてウエストバンド８０を肌対向面側Ｔ１から見た模式平面図である。
【０１０５】
図１０Ａ１に示すように、ウエストバンド８０は、バンド折り目ＦＬＢを有さず、折り返されてなくてよい。ウエストバンド８０は、折り返されていないため、非接合部８５は、着用者の肌に当接するため、起立部８５２を有さずに、肌当接部８５１のみを有してよい。
【０１０６】
図１０Ａ１及び図１０Ａ２に示すように、デザイン領域ＤＲは、肌当接部８５１及び接合部８４にわたって設けられてよい。
【０１０７】
図１０Ｂ１は、変更例７に係る使い捨ておむつ１０を説明するための模式図である。図１０Ｂ１は、図３と同様に、変更例７に係る使い捨ておむつ１０を前後方向Ｌ及び厚さ方向Ｔに沿った模式断面図である。図１０Ｂ２は、図１０Ｂ１においてウエストバンド８０を肌対向面側Ｔ１から見た模式平面図である。
【０１０８】
図１０Ｂ１に示すように、ウエストバンド８０は、後側にバンド折り目ＦＬＢを有してよい。この場合、収容空間ＡＳは、肌当接部８５１と本体部１１（肌面側シート２０）との間に挟まれている空間だけでなく、肌当接部８５１と接合部８４との間に挟まれている空間によっても構成できる。
【０１０９】
図１０Ｃ１は、変更例８に係る使い捨ておむつ１０を説明するための模式図である。図１０Ｃ１は、図３と同様に、変更例８に係る使い捨ておむつ１０を前後方向Ｌ及び厚さ方向Ｔに沿った模式断面図である。図１０Ｃ２は、図１０Ｃ１においてウエストバンド８０を肌対向面側Ｔ１から見た模式平面図である。
【０１１０】
図１０Ｃ１に示すように、ウエストバンド８０は、複数のバンド折り目ＦＬＢ（バンド折り目ＦＬＢ１及びＦＬＢ２）を有してよい。
【０１１１】
ウエストバンド８０は、接合部８４に近いバンド折り目ＦＬＢ１を基点として後側に折られており、次のバンド折り目ＦＬＢ２を基点として前側に折られている。起立部８５２は、収容空間ＡＳの非肌対向面側Ｔ２に配置されている。また、起立部８５２は、液不透過性のフィルム層８１３を有してよい。液不透過性のフィルム層８１３を有する起立部８５２が空間の非肌対向面側Ｔ２に配置されているため、ポケットとして機能する収容空間ＡＳに収容された排泄物が非肌対向面側Ｔ２から滲み出すことを抑制することができる。使用後の排泄物の滲み出しを抑制することで、装着者に漏れ不安に対する安心感をさらに与え易くなる。
【０１１２】
また、非接合部８５において、フィルム層８１３の肌対向面側Ｔ１及び非肌対向面側Ｔ２のそれぞれにデザイン領域ＤＲが設けられてよい。これにより、肌当接部８５１と起立部８５２とが厚さ方向Ｔに重ならない部分では、起立部８５２に設けられたデザイン（図１０Ｃ１では、横縞）を視認可能である。
【０１１３】
（５）その他実施形態
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１１４】
上述の実施形態では、後胴回り域Ｓ２にウエストバンド８０が配置されていたが、これに限られない。ウエストバンド８０は、前胴回り域Ｓ１に配置されてよいし、前胴回り域Ｓ１及び後胴回り域Ｓ２の両方に配置されてよい。
【０１１５】
上述の使い捨ておむつ１０において、第１不織布層８１１と第２不織布層８１２とは、同一の不織布により構成されていたが、別々の不織布により構成されてよい。
【０１１６】
上述の実施形態では、フィルム層８１３にデザイン領域ＤＲ（デザイン）が設けられていたが、これに限られない。デザイン領域ＤＲ（デザイン）は、第１不織布層８１１に設けられてよいし、第２不織布層８１２に設けられてよい。
【０１１７】
上述の使い捨ておむつ１０において、第１バンド部８０１は、ウエストバンド８０の第２折り目ＦＬ２を基点として折り返されている部分であり、サイド折り返し部１６１に接合されている。従って、第２バンド部８０２よりも肌対向面側Ｔ１に配置されている。これにより、第１重複領域Ｒ８１１（第１バンド部８０１）に設けられているデザインが、第２重複領域Ｒ８１２（第２バンド部８０２）に設けられているデザインよりも視認し易くてもよい。
【０１１８】
上述において、バンド弾性部材８２は、ウエストバンド８０に配置されなくてもよいし、バンド弾性部材８２は、肌当接部８５１と起立部８５２との一方に配置されてよいし、肌当接部８５１と起立部８５２の両方に配置されてよい。バンド弾性部材８２が肌当接部８５１に配置されている場合には、ウエストバンド８０が身体にフィットするため、ウエスト開口６６からの排泄物の漏れを抑制できる。また、バンド弾性部材８２が起立部８５２に配置されている場合には、ウエストバンド８０の起立性が向上するため、ウエストバンド８０が身体に近づき、ウエスト開口６６からの排泄物の漏れを抑制できる。
【０１１９】
また、使い捨ておむつ１０の伸長状態において、ウエストバンド８０の非肌対向面側Ｔ２（例えば、フィルム層８１３の非肌対向面側Ｔ２、第２不織布層８１２の肌対向面側Ｔ１又は非肌対向面側Ｔ２など）にデザインが設けられることにより、第１重複領域Ｒ８１１（第１バンド部８０１）に設けられているデザインが、第２重複領域Ｒ８１２（第２バンド部８０２）に設けられているデザインよりもさらに視認し易くてもよい。
【０１２０】
また、使い捨ておむつ１０の伸長状態において、ウエストバンド８０の非肌対向面側Ｔ２（例えば、フィルム層８１３の肌対向面側Ｔ１、第１不織布層８１１の肌対向面側Ｔ１又は非肌対向面側Ｔ２など）にデザインが設けられることにより、第２重複領域Ｒ８１２（第２バンド部８０２）に設けられているデザインが第１重複領域Ｒ８１１（第１バンド部８０１）に設けられているデザインよりもさらに視認し易くてもよい。
【０１２１】
また、使い捨ておむつ１０の伸長状態において、デザイン領域ＤＲの後端縁は、ウエストバンド８０の後端縁１１Ｒから前側に離れていてもよい。また、使い捨ておむつ１０の伸長状態において、デザイン領域ＤＲの後端縁は、本体部１１の後端縁１１Ｒよりも前側に位置してよい。ここで、ウエストバンド８０が連続シートに配置された後に、連続シートを切断することによって使い捨ておむつ１０を製造するケースでは、連続シートと共にウエストバンド８０が切断されることで、デザイン領域ＤＲも切断されることがある。この場合、ウエストバンド８０には、不完全なデザインが設けられる。デザイン領域ＤＲの後端縁は、ウエストバンド８０の後端縁１１Ｒから前側に離すことにより、ウエストバンド８０には、不完全なデザインが設けられないようにしてもよい。
【０１２２】
また、肌当接部８５１においてデザイン領域ＤＲが、バンド弾性部材８２よりも肌対向面側Ｔ１に設けられるように、使い捨ておむつ１０の伸長状態において、肌当接部８５１において、デザインが設けられている第１不織布層８１１又はデザインが設けられているフィルム層８１３が、バンド弾性部材８２よりも肌対向面側Ｔ１に配置されよい。或いは、サイド折りの状態において、第１バンド部８０１に設けられているデザインが視認し易くなるように、使い捨ておむつ１０の伸長状態において、肌当接部８５１において、デザインが設けられている第２不織布層８１２又はデザインが設けられているフィルム層８１３が、バンド弾性部材８２よりも非肌対向面側Ｔ２に配置されよい。
【０１２３】
上述の実施形態では、使い捨ておむつ１０は、テープ型の使い捨ておむつであったが、これに限られない。使い捨ておむつ１０は、パンツ型の使い捨ておむつであってもよい。
【０１２４】
上述の実施形態、各変更例及びその他実施形態に係る使い捨ておむつ１０に係る構成は、適宜組み合わせることが可能である。
【産業上の利用可能性】
【０１２５】
本発明によれば、ウエストバンドを備える使い捨ておむつであって、ウエスト開口からの排泄物の漏れに対する不安感を低減し、装着者に安心感を与え易い使い捨ておむつを提供できる。
【符号の説明】
【０１２６】
１０                ：使い捨ておむつ１０
１１                ：本体部
１５                ：中央部
１６                ：サイドフラップ
２０                ：肌面側シート
２１                ：表面シート
２２                ：サイドシート
２３                ：裏面シート
２４                ：外装シート
２５                ：非肌面側シート
３１                ：吸収コア
４２                ：脚回り弾性部材
４５                ：腰回り弾性部材
６０                ：防漏ギャザー
６１                ：防漏弾性部材
６３                ：収縮部
６４                ：防漏基端縁
６５                ：脚回り開口部
６６                ：ウエスト開口
８０                ：ウエストバンド
８１                ：シート層
８２                ：バンド弾性部材
８３                ：接合部材
８４                ：接合部
８５                ：非接合部
９０                ：ファスニングテープ
９２                ：ベース部
９３                ：係止部
９５                ：ターゲット部
１６１              ：サイド折り返し部
１６５              ：重複部分
６４１              ：第１防漏基端縁
６４２              ：第２防漏基端縁
８０１              ：第１バンド部
８０２              ：第２バンド部
８１１              ：第１不織布層
８１２              ：第２不織布層
８１３              ：フィルム層
８３１              ：第１接合部材
８３２              ：第２接合部材
８３３              ：サイド接合部材
８４１              ：第１接合部
８４２              ：第２接合部
８５１              ：肌当接部
８５１Ｓ            ：肌当接面
８５２              ：起立部
８５３              ：肌当接接合部
ＡＳ                ：収容空間
ＢＳＲ              ：バンド伸縮領域
ＤＲ                ：デザイン領域
ＤＲ１              ：第１デザイン領域
ＤＲ２              ：第２デザイン領域
ＦＬ１              ：第１折り目
ＦＬ２              ：第２折り目
ＦＬＢ              ：バンド折り目
ＦＬＢ１            ：第１バンド折り目
ＦＬＢ２            ：第２バンド折り目
Ｒ８１              ：重複領域
Ｒ８１１            ：第１重複領域
Ｒ８１２            ：第２重複領域
Ｒ８２              ：非重複領域
Ｓ１                ：前胴回り域
Ｓ２                ：後胴回り域
Ｓ３                ：股下域
【図１】
2020089682.tif 000003
【図２】
2020089682.tif 000004
【図３】
2020089682.tif 000005
【図４】
2020089682.tif 000006
【図５】
2020089682.tif 000007
【図６】
2020089682.tif 000008
【図７】
2020089682.tif 000009
【図８】
2020089682.tif 000010
【図９】
2020089682.tif 000011
【図１０】
2020089682.tif 000012